(57)【要約】      （修正有）【課題】設置・撤去・保管や管理等に負担する労力・コストを軽減し、軽量で容易に山地に運搬可能で、組み立て容易であり、掘り進む習性のある獣類にも対応できる獣類侵入防護装置及びその使用方法を提供する。【解決手段】発明に係る獣類侵入防護装置は、獣類侵入防護地域に獣類が侵入するのを防止するために獣類侵入防護地域の縁部及び／又はその外縁部に設置する獣類侵入防護装置において、表面と裏面を有し、短手方向に間隔を空けて長手方向に延びる複数のリブと、該表面及び該裏面に複数の突起部を設けて、該複数のリブ間に張設された網と、から構成されたメッシュ状パネルを用いた装置であって、前記獣類侵入防護地域の外縁部に敷設し、前記表面又は前記裏面に露出した前記突起部が、これに接触した獣類の身体を切傷することにより、その獣類侵入防護地域への侵入を阻止し得る。【選択図】図１
2017195864.tif 000002
【特許請求の範囲】
【請求項１】
獣類侵入防護地域に獣類が侵入するのを防止するために獣類侵入防護地域の縁部及び／又はその外縁部に設置する獣類侵入防護装置において、
表面と裏面を有し、
短手方向に間隔を空けて長手方向に延びる複数のリブと、
該表面及び該裏面に複数の突起部を設けて、該複数のリブ間に張設された網と、
から構成されたメッシュ状パネルを用いた装置であって、
前記獣類侵入防護地域の外縁部に敷設し、前記表面又は前記裏面に露出した前記突起部が、これに接触した獣類の身体を切傷することにより、その獣類侵入防護地域への侵入を阻止する獣類侵入防護装置。
【請求項２】
獣類侵入防護地域に獣類が侵入するのを防止するために獣類侵入防護地域の縁部及び／又はその外縁部に設置する獣類侵入防護装置において、
表面と裏面を有し、
短手方向に間隔を空けて長手方向に延びる複数のリブと、
長さ方向及び幅方向と薄肉厚部とからなる複数の薄厚硬板の内、長手方向に延びる一群の薄厚硬板と略短手方向に延びる他方の群の薄厚硬板とが、該幅方向を略表裏面方向に向けて、該長さ方向にメッシュ状に交差すると共に、該薄肉厚部が該表面及び該裏面に露出するように形成され、該複数のリブ間に張設されたラス網と、
から構成されたメッシュ状パネルを用いた装置であって、
獣類侵入防護地域の外縁部に敷設し、前記ラス網の表面又は裏面に露出した前記薄厚硬板の薄肉厚部が、これに接触した獣類の身体を切傷することにより、その獣類侵入防護地域への侵入を阻止する獣類侵入防護装置。
【請求項３】
前記メッシュ状パネルは、任意の境界線に沿って折り曲げ自在な、請求項１または２に記載の獣類侵入防護装置。
【請求項４】
任意の境界線に沿って折り曲げて、敷設部と起立部とに区分けした、請求項３に記載のメッシュ状パネルを用いた獣類侵入防護装置であって、
前記敷設部を前記獣類侵入防護地域の外縁部に敷設し、前記起立部を該獣類侵入防護地域の縁部に沿って起立させた、獣類侵入防護装置。
【請求項５】
請求項４に記載の獣類侵入防護装置において、
前記メッシュ状パネルの短手方向における前記敷設部の幅を、５０ｃｍ以上とした、獣類侵入防護装置。
【請求項６】
前記獣類侵入防護地域の縁部に沿って、所定の間隔を空けて複数の支柱を鉛直方向に立設させ、前記メッシュ状パネルの起立部を該支柱に固定具により固定した、請求項４又は５に記載の獣類侵入防護装置。
【請求項７】
前記メッシュ状パネルを、前記獣類侵入防護地域の縁部に沿って複数併設させた、請求項６に記載の獣類侵入防護装置
【請求項８】
一端と他端を有する支持体の該一端を前記獣類侵入防護地域の内縁部に固定し、該他端を前記支柱に固定して該支柱を支持した、請求項６又は７に記載の獣類侵入防護装置。
【請求項９】
境界線により仕切られた一方を敷設部と、他方を起立部とするメッシュ状パネルを準備するステップと、
複数の支柱及び固定具を準備するステップと、
獣類侵入防護地域の縁部に、所定の間隔を置いて複数の支柱を鉛直上方向に立設するステップと、
前記メッシュ状パネルの前記敷設部を敷設する地面に対応させて折り曲げ角を調製しつつ、該メッシュ状パネルを、該敷設部と前記起立部との前記境界線に沿って折り曲げるステップと、
前記獣類侵入防護地域の外縁部において、前記メッシュ状パネルの敷設部を地面に密接させて敷設するステップと、
前記獣類侵入防護地域の縁部において、前記メッシュ状パネルの起立部を、その左右両端の前記支柱に密接させて起立させるステップと、
前記固定具により、前記起立部を前記支柱に固定するステップと、
を含む、獣類侵入防護装置の使用方法。
【請求項１０】
さらに、
１又は複数の支持体を準備するステップと、
前記獣類侵入防護地域１００の内縁部側に前記支持体を斜め方向に埋め込み、前記支柱に、前記固定具により固定するステップと、
を含む、請求項９に記載の獣類侵入防護装置の使用方法。
【発明の詳細な説明】
【技術分野】
【０００１】
本発明は、獣類侵入防護装置及びその使用方法に関する。
【背景技術】
【０００２】
猪や鹿、熊などの野生獣類が、田畑や菜園、墓地など人間が管理・生産する土地（以下、「獣類侵入防護地域」という。）に侵入すると、これら野生獣類による農産物や樹木等の食害、土地荒らしの被害は甚大である。そのため、従来より様々な防護手段が考案され、実施されている。
【０００３】
獣類侵入防護地域を、ワイヤーメッシュや金網、板など柵や囲いで防護する方法、あるいはこれら柵などの上に有刺鉄線を設置するなどの方法は、従来からよく使われているが、設置・撤去・保管等に大変労力とコストがかかる上、跳躍、よじ登りや学習効果など獣類の能力によりクリアされてしまい、効果が持続しないのが現実である。また、電気柵により防護する方法も広く用いられているが、上記柵や囲いと同様の課題を抱え、人の感電危険や漏電に対する管理・対策などのコスト・労力負担も大きい。
【０００４】
このため、これらの古くから用いられてきた防護する方法に種々の工夫が加えられ、多くの考案が開示されている。
【０００５】
特許文献１には、下半部を地中に打ち込んで立設された支柱と、この支柱の地上部の下端から上端に亘って形成されている差込みスリットと、両側端部をスリットに差し込んで２本の支柱間に波目を横にして架設された波板とからなる防護柵が開示されている。あるいは、特許文献２には、支柱に支持されて地面に設置されるワイヤーメッシュなど一定の高さを持った導電性素材の防護柵の上部に位置するように、絶縁性の管を支柱に取付け、この絶縁性の管に導電性の碍子を介して着脱自在に電気栓を配した、獣類侵入防止柵が開示されている。
【０００６】
これらの考案は、従来の柵や囲い、電気柵で防護する方法に改良を加え、その設置・撤去・保管や管理等に負担する労力に対して一定の効果を期待することができるが、負担するコストに対してはあまり改善が期待できない。また、人の死傷事故を起こし得る電気柵の管理に対する注意義務は依然解消されず、メンテナンスに時間とコストが掛かる。また、獣類侵入防止という観点からは、従来の柵や囲い、電気柵と略同様であり、多大な効果は望むことができない。
【０００７】
また、特許文献３には、網目が猪、鹿の足が填まる大きさとなった網を、地面から離して、地面に沿って帯状に延びるようにした猪、鹿用防護柵が開示されている。あるいは、特許文献４には、等間隔に配した複数の縦鉄線に対し、一定間隔ごとに複数の横鉄線を溶接して格子状の金網を形成する際に、縦鉄線と横鉄線の間に交差部に孔をあけた防護材を一枚挟み込み、先が見えないようにして侵入防止を図った、鳥獣進入防護柵が開示されている。
【０００８】
これらの考案は、野生獣類の習性、特性に注目し、従来の柵や囲いに多少の改良を加えたもので、新たに多大な労力・負担を必要とするものでもなく、獣類侵入防止に一定の効果を挙げるものと期待される。
【０００９】
さらに、特許文献５には、人工芝状のマットの片面又は両面に、人工芝の高さと同じ高さで先端が鋭利な円錐形、角錐形の突起体を縦横無尽に装置し、鳥獣が当該マットに立ち入り、当該突起体の先端を踏むか触れるとたちまち激痛を感じ、その場から立ち去らせる防護装置が開示されている。しかし、広大な獣類侵入防護地域の外縁部に特許文献５の防護装置を設置するには、かなりのコストが掛かると考えられる。
【００１０】
以上のような柵や囲い、電気柵に関する考案は、上述のように、それぞれの目的に応じてそれぞれの効果を期待できるが、その設置・撤去・保管や管理等に負担する労力・コストの問題を全面的に解決するものではない。特に、従来より用いられるワイヤーメッシュや木材等は重量があり、山地に設置するには運搬に費やす労力とコストの問題が大きく、運搬以外の設置作業に費やす労力とコストも大きい。
【００１１】
また、獣類の習性、特性に注目すると、猪などは、柵や囲い、電気柵の下を容易に掘り抜けてしまい、これらの対策は掘る習性をもつ獣類には役に立たない。特許文献５が提案する人工芝状のマットも掘り起こして破壊されてしまう可能性が高く、効果が期待できない。
【００１２】
【特許文献１】特開２００６−１６６７２３号公報
【特許文献２】特開２００９−１１２８０号公報
【特許文献３】特開平６−２７６９１１号公報
【特許文献４】特開２０１０−２９１０１号公報
【特許文献５】特開２００７−１７５０４１号公報
【発明の概要】
【発明が解決しようとする課題】
【００１３】
そこで、本発明は、設置・撤去・保管や管理等に負担する労力・コストを軽減し、軽量で容易に山地に運搬可能で、組み立て容易であり、掘り進む習性のある獣類にも対応できる獣類侵入防護装置及びその使用方法を提供する。
【課題を解決するための手段】
【００１４】
本発明に係る獣類侵入防護装置は、獣類侵入防護地域に獣類が侵入するのを防止するために獣類侵入防護地域の縁部及び／又はその外縁部に設置する獣類侵入防護装置において、
表面と裏面を有し、短手方向に間隔を空けて長手方向に延びる複数のリブと、該表面及び該裏面に複数の突起部を設けて、該複数のリブ間に張設された網と、
から構成されたメッシュ状パネルを用いた装置であって、
前記獣類侵入防護地域の外縁部に敷設し、前記表面又は前記裏面に露出した前記突起部が、これに接触した獣類の身体を切傷することにより、その獣類侵入防護地域への侵入を阻止し得る。
【００１５】
本発明に係る獣類侵入防護装置は、獣類侵入防護地域に獣類が侵入するのを防止するために獣類侵入防護地域の縁部及び／又はその外縁部に設置する獣類侵入防護装置において、
表面と裏面を有し、短手方向に間隔を空けて長手方向に延びる複数のリブと、長さ方向及び幅方向と薄肉厚部とからなる複数の薄厚硬板の内、長手方向に延びる一群の薄厚硬板と略短手方向に延びる他方の群の薄厚硬板とが、該幅方向を略表裏面方向に向けて、該長さ方向にメッシュ状に交差すると共に、該薄肉厚部が該表面及び該裏面に露出するように形成され、該複数のリブ間に張設されたラス網と、
から構成されたメッシュ状パネルを用いた装置であって、獣類侵入防護地域の外縁部に敷設し、前記ラス網の表面又は裏面に露出した前記薄厚硬板の薄肉厚部が、これに接触した獣類の身体を切傷することにより、その獣類侵入防護地域への侵入を阻止し得る。
【００１６】
本発明に係る獣類侵入防護装置は、前記メッシュ状パネルは、前記リブの長手方向に沿った任意の線を境界線として折り曲げ自在であり得る。
【００１７】
本発明に係る獣類侵入防護装置は、上記載のメッシュ状パネルを、任意に決めた境界線により、敷設部と起立部とに区分けした獣類侵入防護装置であって、
前記敷設部を前記獣類侵入防護地域の外縁部に敷設し、前記起立部を該獣類侵入防護地域の縁部に沿って起立させてもよい。
【００１８】
本発明に係る獣類侵入防護装置において、前記メッシュ状パネルの短手方向における前記敷設部の幅を、５０ｃｍ以上とするのが好適である。
【００１９】
本発明に係る獣類侵入防護装置は、前記獣類侵入防護地域の縁部に沿って、所定の間隔を空けて複数の支柱を鉛直方向に立設させ、前記メッシュ状パネルの起立部を該支柱に固定具により固定するのが好適である。
【００２０】
本発明に係る獣類侵入防護装置は、前記メッシュ状パネルを、前記獣類侵入防護地域の縁部に沿って複数併設させてもよい。
【００２１】
本発明に係る獣類侵入防護装置は、一端と他端を有する支持体の該一端を前記獣類侵入防護地域の内縁部に埋め込むなどして固定し、該他端を前記支柱に固定して、該支柱を支持してもよい。
【００２２】
本発明に係る獣類侵入防護装置の使用方法は、
（１）境界線により仕切られた一方を敷設部と、他方を起立部とするメッシュ状パネルを準備するステップと、
（２）複数の支柱及び固定具を準備するステップと、
（３）獣類侵入防護地域の縁部に、間隔を置いて複数の支柱を鉛直上方向に立設するステップと、
（４）前記メッシュ状パネルの前記敷設部を敷設する地面に対応させて、該メッシュ状パネルを、該敷設部と前記起立部との前記境界線に沿って折り曲げるステップと、
（５）前記獣類侵入防護地域の外縁部において、前記メッシュ状パネルの敷設部を地面に密接させて敷設するステップと、
（６）前記獣類侵入防護地域の縁部において、前記メッシュ状パネルの起立部を左右両端の前記支柱に密接させて起立させるステップと、
（７）前記固定具により、前記起立部を前記支柱に固定するステップと、
を含む。
【００２３】
本発明に係る獣類侵入防護装置の使用方法は、さらに、
（８）支持体を準備するステップと、
（９）前記獣類侵入防護地域１００の内縁部側に前記支持体を斜め方向に埋め込み、前記支柱に、前記固定具により固定するステップと、
を含んでもよい。
【発明の効果】
【００２４】
本発明に係る獣類侵入防護装置は、これを構成するメッシュ状パネルを獣類侵入防護地域の外縁部に敷設して、獣類の獣類侵入防護地域への侵入を阻止することができる。メッシュ状パネルの表裏面に露出した突起部あるいはメッシュ状パネルに張設されたラス網の表裏面に露出した薄肉厚部が、これに接触した獣類の身体を切傷し、あるいは、獣類に苦痛を与え、その侵入を阻止し得る。
【００２５】
これらの突起部あるいはラス網の表裏面に露出した薄肉厚部は、敷設したメッシュ状パネルの表裏両面に露出しているため、獣類がメッシュ状パネルの表面上から侵入を図っても、あるいは地面を掘ってその裏面側から侵入しようとしても、その獣類侵入防護地域への侵入を阻止することができる。
【００２６】
折り曲げ自在のメッシュ状パネルを用い、その敷設部を獣類侵入防護地域の外縁部に敷設し、起立部を当該獣類侵入防護地域の縁部に沿って起立させて、獣類侵入防護装置を構成することもでき、敷設部は上記のようにその表裏面に露出した薄肉厚部等が獣類の侵入を阻止することができる。さらに、獣類が敷設部上を突破しても、鉛直方向に立てた起立部が、その侵入を阻止することができ、あるいは、起立部が立設していることで、獣類に侵入を諦めさせる効果を与えることができる。
【００２７】
折り曲げ自在のメッシュ状パネルに好適に用いられるラス網は、その材料とする薄い金属板が、通常７００ｇ／ｍ２以上の質量があって強度的に十分であるが、従来より用いられてきたワイヤーメッシュより十分軽く、しかも薄いので、運搬や保管が容易であり、更に非常に安価である。また、ＪＩＳ  Ｇ３３０２（溶融亜鉛めっき鋼板及び鋼帯）に規定される鋼板（鋼帯）を使用するので、錆による腐食にも強い。
【００２８】
このような折り曲げ自在なラス網を張設したメッシュ状パネルにより本発明に係る獣類侵入防護装置を構成し、猪による地荒らしが深刻であった菜園（獣類侵入防護地域）を囲って、菜園の山側に設置した結果、２か月間経過しても猪が侵入した形跡は見られず、著しい効果を挙げることができた。
【００２９】
従って、折り曲げ自在なラス網を用いて、本発明に係る獣類侵入防護装置を構成すれば、強度的に十分であるが、従来品より十分軽量で薄く、運搬や保管が容易であり、低コストで容易に設置して、獣類の獣類侵入防護地域への侵入を防ぐことができる。
【図面の簡単な説明】
【００３０】
【図１】本発明に係る獣類侵入防護装置を構成する、ラス網を張設したメッシュ状パネルの正面図。
【図２】本発明に係る獣類侵入防護装置を構成する、表裏面に突起部を突起させたメッシュ状パネルの正面図。
【図３】本発明に係る獣類侵入防護装置を構成する、折り曲げ自在なラス網を張設したメッシュ状パネルの（ａ）正面拡大図、（ｂ）側面拡大図。
【図４】折り曲げ自在なメッシュ状パネルを折り曲げて構成した本発明に係る獣類侵入防護装置を、平地に設置した場合の側面図。
【図５】折り曲げ自在なメッシュ状パネルを折り曲げて構成した本発明に係る獣類侵入防護装置を、斜面に設置した場合の側面図。
【図６】折り曲げ自在なメッシュ状パネルを複数連結して構成した本発明に係る獣類侵入防護装置の斜視図。
【図７】本発明に係る獣類侵入防護装置を構成する、ラス網を張設したメッシュ状パネルの（ａ）長手方向に沿って折り曲げた状態の斜視図、（ｂ）短手方向（長手方向と直角方向）に沿って折り曲げた状態の斜視図。
【発明を実施するための形態】
【００３１】
以下、図面を参照しながら本発明に係る獣類侵入防護装置とその使用方法の実施形態、及び実施例について説明する。なお、以下各図面を通して同一の構成要素には同一の符号を使用するものとする。
【００３２】
［獣類侵入防護装置］
本発明に係る獣類侵入防護装置１は、例えば図６に示すように、獣類侵入防護地域１００に獣類が侵入するのを防止するために獣類侵入防護地域の縁部１０２及び／又はその外縁部１０４に設置する獣類侵入防護装置１であり、図１や図２に示すようなメッシュ状パネル１０を用いた装置である。
【００３３】
［第１実施形態］
まず、本発明に係る第１実施形態の獣類侵入防護装置１について説明する。図２に示すメッシュ状パネル１０は、表面１０Ｓと裏面１０Ｒを有し、短手方向に間隔を空けて長手方向に延びる複数のリブ１２と、表面１０Ｓ及び裏面１０Ｒに複数の突起部１６を設けて、複数のリブ１２間に張設された網１４とから構成される。このメッシュ状パネル１０を、図６や図４、図５に示すような獣類侵入防護地域１００の外縁部１０４に敷設し、表面１０Ｓ又は裏面１０Ｒに露出した突起部１６が、これに接触した獣類の身体を切傷することにより、その獣類侵入防護地域への侵入を阻止する。
【００３４】
メッシュ状パネル１０を構成するリブ１２や網１４の材料は、獣類が衝突して容易に突破できない強度があれば特に限定されることはないが、運搬や保管の便利のため軽量な金属が望ましい。金属に限らず、プラスチックやその他の素材を使用してもよい。
【００３５】
第１実施形態の獣類侵入防護装置１においては、網１４の表面１０Ｓと裏面１０Ｒとに突起部１６を設けるため、網１４の網目はワイヤーメッシュなどより細かい方が良く、１０ｍｍ〜３０ｍｍ程度が好適である。突起部１６は、表面１０Ｓと裏面１０Ｒとに突起し、あるいは固定されていればよく、網１４の素材と同様の素材を用いればよいが、その素材は特に限定されない。
【００３６】
このように突起部１６が表面１０Ｓと裏面１０Ｒとに突起したメッシュ状パネル１０を、図６等のように獣類侵入防護地域１００の外縁部１０４に敷設すれば、表面１０Ｓを踏んで侵入しようとする獣類の身体を切傷し、その侵入を防ぐことができる。また、猪のように掘り進む能力・習性をもつ獣類に対しても、裏面１０Ｒに突起した突起部１６が獣類の身体にダメージを与え、その侵入を防ぐことができる。
【００３７】
［第２実施形態］
次に、本発明の第２実施形態に係る獣類侵入防護装置１について説明する。第２実施形態に係る獣類侵入防護装置１においては、上記のような突起部１６をメッシュ状パネル１０の網１４の表裏面１０Ｓ、１０Ｒに設ける代わりに、図３（ａ）、（ｂ）に示すような、市販されて手軽に入手できるラス網１４をメッシュ状パネル１０の網１４として用いる。
【００３８】
ラス網は、一般に、材料とする薄い金属板に、必要な網目の大きさの切り込みを一方向に多数切り欠き、直交方向に引っ張って網目を作る常温引伸切断法により作製する。このように、ラス網は、薄い金属板の一方向に多数切り込みを入れ、直交方向に引っ張って網目を作るため、長さ方向及び幅方向と薄い肉厚部（以下、「薄肉厚部」という。）とからなる複数の細い薄厚硬板が交叉した構成となる。ラス網の材料とする薄い金属板は、通常７００ｇ／ｍ２以上の質量があり、強度的に十分であるが、従来より防護柵の構成材料として用いられてきたワイヤーメッシュより十分軽く、しかも薄いので、運搬や保管が容易である。ＪＩＳ  Ｇ３３０２（溶融亜鉛めっき鋼板及び鋼帯）に規定される鋼板（鋼帯）を使用するので、錆による腐食にも強い。
【００３９】
図３（ａ）、（ｂ）に示す本発明の獣類侵入防護装置１に係るラス網１４において、ラス網１４を構成する薄厚硬板１５は、一方向に延びる一群の薄厚硬板１５と、これと直角又は斜め方向に延びる他方の群の薄厚硬板１５とに分類され、それぞれの群の長さ方向に延びた薄厚硬板１５は、他の群の薄厚硬板１５とメッシュ状に交差して網目を作る。また、薄厚硬板１５の幅方向は略表裏面１０Ｓ、１０Ｒ方向に向いており、その薄肉厚部がラス網１４の表面１０Ｓ及び裏面１０Ｒに露出する。
【００４０】
ラス網１４の構成要素である薄厚硬板１５の薄肉厚部は、その製造方法から、一般に、表裏面１０Ｓ、１０Ｒに露出する露出端が、切込み圧を受けてやや丸みを帯びている。従って、ラス網１４において、薄厚硬板１５の薄肉厚部の露出端は、人や獣類が接触しても直ちに切傷を負うほど鋭くはないが、裸足や肉球で踏みつけたり圧を加えると、その人や獣類に苦痛を与えるほどに十分細くて薄く形成されているのが好適である。また、図示しないが、上記丸みを帯びた露出端の湾曲された先端には、製造時に入れる切り込みにより、刃先のような鋭端部が表裏面１０Ｓ、１０Ｒと略平行に露出しており、この鋭端部は接触した人や獣類に切傷を負わせ得る。
【００４１】
従って、図１のようなラス網１４を張設したメッシュ状パネル１０を獣類侵入防護地域１００の外縁部１０４に敷設すれば、ラス網１４の表面１０Ｓ又は裏面１０Ｒに露出した薄厚硬板１５の薄肉厚部が、これに接触した獣類の身体を切傷するか、或は、苦痛を与えることができる。すなわち、上記第１実施形態と同様、第２実施形態に係る獣類侵入防護装置１を敷設することによって、獣類が表面１０Ｓ上から侵入を図っても、あるいは地面を掘って裏面１０Ｒ側から侵入しようとしても、その獣類侵入防護地域１００への侵入を阻止することができる。
【００４２】
［第３実施形態］
第３実施形態に係る獣類侵入防護装置１のメッシュ状パネル１０は、任意の線を境界線として、自由な角度に折り曲げることができ、その角度を維持することができる。例えば、図７（ａ）は、リブ１２に沿って長手方向に沿って折り曲げた状態のメッシュ状パネル１０を、図７（ｂ）は、短手方向（長手方向と直角方向）に沿って折り曲げた状態の、メッシュ状パネル１０の斜視図である。
【００４３】
このような折り曲げ自在なメッシュ状パネル１０として、第１実施形態に用いた突起部１６を設けたメッシュ状パネル１０を用いてもよいが、本第３実施形態では、第２実施形態に用いたラス網１４を張設したメッシュ状パネル１０を用いて説明する。
【００４４】
上述のように、ラス網１４は、切り目を入れた薄い金属板を材料として、これを引っ張って網目を作り形成するため、自由な角度に折り曲げることができ、かつ、その角度を維持することができる。また、いわゆるアングルと呼ばれる断面三角状の金属工具の尖端部上に、当該アングルの長手方向と任意の角度をつけてリブ１２を載せ、リブ１２の上方からハンマーなどでこれを殴打することにより凸部を潰し（図３（ｂ）参照）、リブ１２を上記任意の角度に折り曲げることができる。すなわち、ラス網１４を張設したメッシュ状パネル１０は、任意の線を境界線として、自由な角度に折り曲げることができ、その角度を維持することができる。
【００４５】
したがって、ラス網１４を張設したメッシュ状パネル１０は、図７（ｂ）のように短手方向に沿って折り曲げることもできるが、本第３実施形態では、以下、図７（ａ）や図４、図５に示すように、リブ１２の長手方向に延びた境界線で折り曲げた、ラス網１４を張設したメッシュ状パネル１０を用いて説明する。
【００４６】
このような折り曲げ自在のメッシュ状パネル１０を、リブ１２の長手方向に沿って任意に定めた境界線により、敷設部１０Ａと起立部１０Ｂとに区分けする（図４、図５参照）。そして、例えば図６のように、敷設部１０Ａを獣類侵入防護地域１００の外縁部１０４に敷設し、起立部１０Ｂを当該獣類侵入防護地域１００の縁部１０２に沿って起立させて、獣類侵入防護装置１を構成する。
【００４７】
獣類侵入防護地域１００の外縁部１０４に敷設した敷設部１０Ａは、上記実施形態２と同様に、ラス網１４の表面１０Ｓ又は裏面１０Ｒに露出した薄厚硬板１５の薄肉厚部が、これに接触した獣類の身体を切傷するか、或は、苦痛を与えることにより、その獣類侵入防護地域１００への侵入を阻止することができる。敷設部１０Ａは、メッシュ状パネル１０の上記短手方向への幅を、例えば５０ｃｍ以上とすれば、ラス網１４の表面１０Ｓ上から侵入する場合も、あるいは裏面１０Ｒ側から掘り進む場合も、獣類に肉体的・精神的ダメージを与え、その侵入を防ぐことができる。
【００４８】
さらに、獣類がラス網１４の敷設部１０Ａを突破しても、鉛直方向に立てた起立部１０Ｂが獣類侵入防護地域１００への侵入を阻止することができる。あるいは、起立部１０Ｂが立設していることで、獣類に侵入を諦めさせる効果を与えることができ、上記実施形態１と２の敷設のみの場合より効果的であると考えられる。
【００４９】
本第３実施形態に係る獣類侵入防護装置１においては、図６に示すように、例えば菜園のような獣類侵入防護地域１００の縁部１０２に沿って、所定の間隔を空けて複数の支柱２０を鉛直方向に立設させ、メッシュ状パネル１０の起立部１０Ｂを、その両端の支柱２０に、固定具２２により固定するのが好適である。
【００５０】
支柱２０としては、例えば防錆加工した長さ１５０ｃｍ程度の鉄パイプを用い、５０ｃｍ程度を地中に打ち込んで、鉛直上方向に立設する。用いるメッシュ状パネル１０の幅に合わせて、例えば１ｍ間隔で獣類侵入防護地域１００の縁部１０２に沿って支柱２０を必要本数立設し、支柱２０間に折り曲げたメッシュ状パネル１０の敷設部１０Ａを外縁部１０４側に敷設する。
【００５１】
このように、敷設部１０Ａを外縁部１０４側に敷設したメッシュ状パネル１０の起立部１０Ｂの左右端が、隣接する２本の支柱２０に接触するように敷設部１０Ａの敷設位置を調整し、固定具２２により、例えば起立部１０Ｂの左右端のラス網１４を支柱２０に固定する。固定具２２として、例えば防錆加工した結束線などのワイヤー状固定具を用い、これをラス網１４の網目に通して支柱２０に結束して固定すればよい。
【００５２】
さらに、図４に示すように、起立部１０Ｂの安定を図るため、鉄パイプなどの支持体２４を、獣類侵入防護地域１００の内縁部側に斜め方向に埋め込み、支柱２０やリブ１２等に固定するのが好ましい。固定は上記結束具などの固定具２２を用いて支柱２０に結束し、あるいはラス網１４の網目に通してリブ１２に結束して行えばよい。
【００５３】
獣類は、普段は山に生息して、山側から獣類侵入防護地域１００に侵入してくる場合が通常である。本第３実施形態に係る獣類侵入防護装置１が用いるメッシュ状パネル１０は、リブ１２に沿って自由な角度に折り曲げ可能であるので、自在に山側の斜面に対応して設置することができる。
【００５４】
図５に示すように、獣類侵入防護地域１００の外縁部１０４側の山の斜面に合わせてメッシュ状パネル１０をリブ１２に平行に折り曲げ、敷設部１０Ａを斜面に敷設する。起立部１０Ｂは、斜面に対して直角方向ではなく、図５のように鉛直上方に向くように折り曲げ角を調整するのが好適である。
【００５５】
上述のように、獣類侵入防護地域１００を囲むように、その縁部１０２に沿って支柱２０を必要本数立設し、支柱２０間に折り曲げたメッシュ状パネル１０を設置し、その左右両端の支柱２０に固定具２２により固定する。敷設部１０Ａは、獣類侵入防護地域１００の外縁部１０４に対応する山の斜面側に敷設され、獣類侵入防護地域１００の内縁部側から支持体２４により支柱２０あるいは起立部１０Ｂを支持してもよい。
【００５６】
次に、本発明に係る獣類侵入防護装置の使用方法について主として図６を用いて説明する。
【００５７】
［獣類侵入防護装置の使用方法］
本発明に係る獣類侵入防護装置の使用方法は、
（１）リブ１２に平行な境界線により仕切られた、一方を敷設部１０Ａと、他方を起立部１０Ｂとするメッシュ状パネル１０を準備するステップ
（２）複数の支柱２０及び複数の固定具２２を準備するステップ
（３）獣類侵入防護地域１００の縁部１０２に、所定の間隔を置いて複数の支柱２０を鉛直上方向に立設するステップ
（４）メッシュ状パネル１０の敷設部１０Ａを敷設する地面に対応させて折り曲げ角を調製しつつ、メッシュ状パネル１０を敷設部１０Ａと起立部１０Ｂとの上記境界線に沿って折り曲げるステップ
（５）獣類侵入防護地域１００の外縁部１０４において、メッシュ状パネル１０の敷設部１０Ａを地面に密接させて敷設するステップ
（６）獣類侵入防護地域１００の縁部１０２において、メッシュ状パネル１０の起立部１０Ｂを、その左右両端の前記支柱に密接させて起立させるステップ
（７）固定具２２により、起立部１０Ｂを支柱２０に固定するステップ
を含む。
【００５８】
上述の本発明に係る獣類侵入防護装置の使用方法に、以下のステップを加えてもよい。すなわち、
（８）１又は複数の支持体２４を準備するステップ
（９）獣類侵入防護地域１００の内縁部側に支持体２４を斜め方向に埋め込み、起立部１０Ｂのリブ１２に、固定具２２により固定するステップ
を追加してもよい。
【００５９】
その他、本発明に係る獣類侵入防護装置１は、メッシュ状パネル１０の起立部１０Ｂを、近くの木や柵などに、ワイヤーや縄などの固定具２２により固定してもよい。また、図６のように敷設部１０Ａ間に隙間があるときは、他のラス網１４で隙間を覆ってもよいし、鉄パイプなどの支持体２４をラス網１４の網目を通して地中に打ち込み、敷設部１０Ａを地面に固定してもよい。
【実施例１】
【００６０】
上記実施形態３で説明したような、ラス網１４を用いた折り曲げ可能なメッシュ状パネル１０を、山奥の菜園を獣類侵入防護地域１００として２か月間設置し、本発明に係る獣類侵入防護装置１の奏する効果を検証した。実験に用いた菜園は、私有地である山の交通不便な山手にあり、猪が侵入して地中深くまで芋類等を掘り起こす被害が甚大であった。
【００６１】
従来より獣類侵入防護柵に用いられていたワイヤーメッシュは重量が重いので、細い山道を人が運ぶのは困難であり、保管するにも嵩張って不便である。また、防護柵を設置しても、防護柵を設置した下の地面を掘り進むので、猪の侵入は防げないという経験があった。
【００６２】
そこで、ラス網１４を張設したメッシュ状パネル１０を用いて獣類侵入防護装置１を作製し、菜園を獣類侵入防護地域１００として、その縁部１０２に本発明に係る獣類侵入防護装置１を設置した。菜園の山側の縁部１０２の長さは２００ｍ程であり、縁部１０２に沿って１ｍ間隔で複数の支柱２０を鉛直上方向に立設した。支柱２０は約２ｍの鉄パイプであり、約５０ｃｍを地中に埋め込んで固定した。
【００６３】
まず、１ｍ×２ｍのラス網１４を張設したメッシュ状パネル１０を複数枚準備し、他の材料と共に菜園（獣類侵入防護地域１００）まで、人が担いで運搬した。メッシュ状パネル１０をリブ１２に沿って折り曲げて、山側を獣類侵入防護地域１００の外縁部１０４として、敷設部１０Ａを斜面に敷設した。敷設部１０Ａの短手方向の長さは７５ｃｍとした。
【００６４】
１２５ｃｍの高さの起立部１０Ｂを、左右両端の支柱２０に密接させて起立させ、ラス網１４の網目に結束線（固定具２２）を通して支柱２０に括り付け、起立部１０Ｂを支柱２０に固定した。さらに、獣類侵入防護地域１００の内縁部側に支持体２４を斜め方向に約３０ｃｍの深さまで地中に埋め込み、支柱２０に、結束線（固定具２２）を用いて固定した。支持体２４として、支柱２０と同じ鉄パイプを用いた。
【００６５】
図６に概略を示すように、支柱２０に両端を結束線（固定具２２）により固定したメッシュ状パネル１０は、隣接するメッシュ状パネル１０同士が、支柱２０を中心として１０ｃｍ程度の重なり合いを持つようにしたため、約２００ｍの菜園の山側の縁部１０２の長さは２００ｍ程度に対して、２２０枚以上のメッシュ状パネル１０を支柱２０に固定した。
【００６６】
このように本発明に係る獣類侵入防護装置１を菜園（獣類侵入防護地域１００）の山側に設置した結果、２か月間経過しても猪が侵入した形跡は見られず、著しい効果を挙げることができた。
【００６７】
以上、本発明に係る獣類侵入防護装置及びその使用方法について説明したが、本発明は上記実施形態に限定されるものではない。例えば、本発明に係る獣類侵入防護装置を構成するメッシュ状パネルは、敷設部と起立部とに折り曲げて用いなくても、１枚を獣類侵入防護地域の縁部に立設して支柱に固定し、もう１枚をその外縁部に敷設して獣類侵入防護装置を構成してもよい。
【００６８】
また、敷設するメッシュ状パネル（あるいは敷設部）の起立させるメッシュ状パネル（あるいは起立部）までの距離は、例えば５０ｃｍや７５ｃｍとしたが、獣類の種類やその他の様々な状況によって任意に変更可能である。同様に、支柱の高さ、支柱間に固定するメッシュ状パネル（あるいは起立部）の高さも、自由に設計することができる。
【００６９】
その他、本発明は、その主旨を逸脱しない範囲で当業者の知識に基づき種々の改良、修正、変更を加えた態様で実施できるものである。
【産業上の利用可能性】
【００７０】
本発明に係る獣類侵入防護装置、その使用方法は、田畑や菜園、墓地、道路など、人間が管理して獣類が侵入すると困る土地の縁部、外縁に設置して用いることができる。
【符号の説明】
【００７１】
１：獣類侵入防護装置
１０：メッシュ状パネル
１０Ａ：敷設部
１０Ｂ：起立部
１０Ｓ：表面
１０Ｒ：裏面
１２：リブ
１４：網（ラス網）
１５：薄厚硬板
１６：突起部
２０：支柱
２２：固定具（結束線）
２４：支持体
１００：獣類侵入防護地域
１０２：獣類侵入防護地域の縁部
１０４：獣類侵入防護地域の外縁部
【図１】
2017195864.tif 000003
【図２】
2017195864.tif 000004
【図３】
2017195864.tif 000005
【図４】
2017195864.tif 000006
【図５】
2017195864.tif 000007
【図６】
2017195864.tif 000008
【図７】
2017195864.tif 000009